(57)【要約】    【課題】動作全般において回路にストレスが加わるのを防止するように、瞬時停電後の復電時の再始動モードと通常の始動又は再始動モードとの切り分けを可能にする。    【解決手段】  制御部１３は、ＶＣＯを含むインバータ制御部１３０と、外部交流電源１の停電検出用の停電検出部１３１とを備える。制御部１３は、停電検出後、停電が２５０ｍｓ（＜第１の時間）以内に復電するなら、該停電の間、蛍光ランプ２の消費電力が点灯時のそれよりも低下するように、ＶＣＯの発振信号の周波数を変更する。また、制御部１３は、停電検出後、第２の時間（＞２５０ｍｓ）が経過したときに、ＶＣＯの発振を停止し、停電の復電後、第１の時間の間に、ＶＣＯの周波数を、ランプ２の予熱、始動又は点灯制御用の周波数に順次変更してインバータ１２に出力する。【選択図】図１
2007294267.tif 000002
【特許請求の範囲】
【請求項１】
外部交流電源の交流電力を直流電力に変換するコンバータと、
スイッチング信号に従って、前記コンバータで変換された直流電力を交流電力に変換して放電ランプに供給するインバータと、
可変発振器を含み、第１の時間の間に、前記可変発振器の発振信号の周波数を、前記放電ランプの予熱、始動又は点灯制御用の周波数に順次変更し、該発振信号を前記スイッチング信号として前記インバータに出力する制御部とを備え、
前記制御部は、
前記外部交流電源の停電を検出するための停電検出部を更に備え、
前記停電検出部が前記外部交流電源の停電を検出した後、該停電が前記第１の時間よりも短い２５０ｍｓ以内に復電するなら、少なくとも該停電の間、前記放電ランプの消費電力が少なくとも点灯時のそれよりも低下するように、前記可変発振器の発振信号の周波数を変更する一方、
前記停電を検出した後、少なくとも２５０ｍｓを超える第２の時間が経過したときに、前記可変発振器の発振を停止するか前記スイッチング信号の出力を停止し、該停電の復電後、前記第１の時間の間に、前記可変発振器の発振信号の周波数を、前記予熱、始動又は点灯制御用の周波数に順次変更し、該発振信号を前記スイッチング信号として前記インバータに出力する
ことを特徴とする放電ランプ点灯装置。
【請求項２】
前記制御部は、前記第２の時間の間、前記可変発振器の発振信号の周波数を、前記放電ランプ用に予め決められた調光範囲の下限に対応する周波数に変更することを特徴とする請求項１記載の放電ランプ点灯装置。
【請求項３】
前記制御部は、前記第２の時間の間、前記可変発振器の発振信号の周波数を、前記放電ランプ用に予め決められた調光範囲の下限に対応する周波数よりも高い前記始動制御用の周波数に変更することを特徴とする請求項１記載の放電ランプ点灯装置。
【請求項４】
前記制御部は、前記停電が２５０ｍｓ以内に復電したとき、前記可変発振器の発振信号の周波数を、該停電前の前記放電ランプの動作周波数に対応する周波数に変更することを特徴とする請求項２又は３記載の放電ランプ点灯装置。
【請求項５】
前記制御部は、
前記停電が２５０ｍｓ以内に復電したとき、該復電から３００ｍｓ以内の時間の間、前記可変発振器の発振信号の周波数を、前記始動制御用の周波数に変更し、
前記３００ｍｓ以内の時間の終了時に、前記可変発振器の発振信号の周波数を、該停電前の前記放電ランプの動作周波数に対応する周波数に変更する
ことを特徴とする請求項２又は３記載の放電ランプ点灯装置。
【請求項６】
前記制御部は、前記放電ランプの点灯を検出するための点灯検出手段を更に有し、
前記制御部は、
前記停電が２５０ｍｓ以内に復電したとき、前記可変発振器の発振信号の周波数を、前記始動制御用の周波数に変更し、
前記復電後、前記点灯検出手段が前記放電ランプの点灯を検出したとき、前記可変発振器の発振信号の周波数を、該停電前の前記放電ランプの動作周波数に対応する周波数に変更する
ことを特徴とする請求項２又は３記載の放電ランプ点灯装置。
【請求項７】
前記制御部は、
前記停電が２５０ｍｓ以内に復電するなら、少なくとも該停電の間、前記可変発振器の発振を停止するか前記スイッチング信号の出力を停止し、
該停電が２５０ｍｓ以内に復電した後の３００ｍｓ以内に、前記可変発振器の発振信号の周波数を、前記予熱、始動又は点灯制御用の周波数に順次変更する
ことを特徴とする請求項１記載の放電ランプ点灯装置。
【請求項８】
前記制御部は、
前記コンバータ及び前記インバータの少なくとも一方の誤動作を検出するための誤動作検出手段を更に有し、
前記停電検出部が前記外部交流電源の停電を検出した後、前記誤動作検出手段が前記誤動作を検出したとき、前記第２の時間が経過するまで、前記可変発振器の周波数を、前記調光範囲の下限に対応する周波数よりも高い前記始動制御用の周波数、又は前記調光範囲の下限に対応する周波数に変更する
ことを特徴とする請求項２又は３記載の放電ランプ点灯装置。
【請求項９】
前記制御部は、前記停電検出部が前記外部交流電源の停電を検出してから、前記誤動作検出手段が前記誤動作を検出するまで、前記可変発振器の周波数を、該停電前の前記放電ランプの動作周波数に対応する周波数に維持するか或いは前記調光範囲の下限に対応する周波数に変更することを特徴とする請求項８記載の放電ランプ点灯装置。
【発明の詳細な説明】
【技術分野】
【０００１】
本発明は、放電ランプ点灯装置、特にトンネル内の使用に適した放電ランプ点灯装置に関するものである。
【背景技術】
【０００２】
蛍光ランプは、省エネ性に優れ、低圧ナトリウムランプと比較して優れた視認性を有する。このため、トンネル用照明器具には上記放電ランプに代えて蛍光ランプが具備される場合があり、そのような傾向は増えつつある。
【０００３】
一般に、放電ランプ点灯装置は、電源が投入されると、蛍光ランプのフィラメントを約１秒間予熱し、続いて所定の始動電圧をランプに印加してそれを点灯する。このため、ランプが定格の約８０％の光出力以上で点灯するのに１〜２秒の時間がかかる。
【０００４】
一方、トンネル用の放電ランプ点灯装置は、特定停電後の復電時に素早く放電ランプを再点灯することが要求されている。即ち、放電ランプ点灯装置の外部交流電源は、補助電源（非常用電源）を備え、通常商用電源の出力を供給するが、商用電源の停電時には補助電源に切り替えて補助電源の出力を供給する。その補助電源が停電発生時点から２５０ｍｓ以内に起動したとき、トンネル用の放電ランプ点灯装置は、補助電源の起動時点から３００ｍｓ以内に放電ランプを停電前の８０％以上の光出力で点灯しなければならない。
【０００５】
特許文献１記載の従来技術装置は、上記要求に応えることができる。この装置は、コンバータ（電源回路）、インバータ（インバータ回路）、インバータ制御部（制御回路）、停電検出部（検出回路）及び停電制御部（スイッチ）を備える。コンバータは、外部交流電源の交流電力を直流電力に変換するように構成される。インバータは、スイッチング信号に従って、コンバータで変換された直流電力を交流電力に変換して蛍光ランプに供給するように構成される。停電検出部は、外部交流電源の停電を検出するように構成される。インバータ制御部は、上記スイッチング信号の周波数を制御するように構成される。
【０００６】
停電後の復電時に蛍光ランプを素早く点灯するために、上記装置は、所定時間の瞬時停電の間、少なくとも制御回路内の発振回路の発振を継続する。即ち、制御回路用の制御電源回路の電源が制御回路の動作可能電圧を下回ると、制御回路がスイッチング信号を生成するための発振を停止する結果、インバータのスイッチング動作が停止する。復電後、制御回路が再起動するが、制御電源回路が起動するのに時間がかかり、制御電源回路（キャパシタ）の出力が動作可能電圧に達するのに時間がかかるので、制御回路が起動するのに或る起動時間かかることになる。このように、制御電源回路の電源が動作可能電圧を一旦下回ると、ランプの再始動に時間がかかることになるので、所定時間の瞬時停電の間、発振周波数を下げて制御電源回路の電力消費を低減し、発振回路の発振を継続することで、上記起動時間無しに、ランプを素早く点灯することができる。
【特許文献１】特開２００２−８８８６号公報
【発明の開示】
【発明が解決しようとする課題】
【０００７】
特許文献１では、瞬時停電後の復電時の再始動モードと通常の始動又は再始動モードとの切り分けが不明であるが、その従来技術装置の構成では、切り分けによっては動作全般のいずれかのタイミングで回路（例えば放電ランプ又はインバータ等）にストレスが加わる可能性がある。また、例えば従来の汎用制御ＩＣ等をインバータ制御部に必ずしも利用することができない。
【０００８】
本発明の目的は、動作全般において回路にストレスが加わるのを防止するように、瞬時停電後の復電時の再始動モードと通常の始動又は再始動モードとの切り分けを可能にする放電ランプ点灯装置を提供することにある。
【課題を解決するための手段】
【０００９】
上記課題を解決するための請求項１記載の発明の放電ランプ点灯装置は、外部交流電源の交流電力を直流電力に変換するコンバータと、スイッチング信号に従って、前記コンバータで変換された直流電力を交流電力に変換して放電ランプに供給するインバータと、可変発振器を含み、第１の時間の間に、前記可変発振器の発振信号の周波数を、前記放電ランプの予熱、始動又は点灯制御用の周波数に順次変更し、該発振信号を前記スイッチング信号として前記インバータに出力する制御部とを備え、前記制御部は、前記外部交流電源の停電を検出するための停電検出部を更に備え、前記停電検出部が前記外部交流電源の停電を検出した後、該停電が前記第１の時間よりも短い２５０ｍｓ以内に復電するなら、少なくとも該停電の間、前記放電ランプの消費電力が少なくとも点灯時のそれよりも低下するように、前記可変発振器の発振信号の周波数を変更する一方、前記停電を検出した後、少なくとも２５０ｍｓを超える第２の時間が経過したときに、前記可変発振器の発振を停止するか前記スイッチング信号の出力を停止し、該停電の復電後、前記第１の時間の間に、前記可変発振器の発振信号の周波数を、前記予熱、始動又は点灯制御用の周波数に順次変更し、該発振信号を前記スイッチング信号として前記インバータに出力することを特徴とする。
【００１０】
この構成によれば、第２の時間が経過したときに、可変発振器の発振を停止するかスイッチング信号の出力を停止するので、必要以上に電力が消費されるのを防止することができる。しかも、停電の復電後、第１の時間の間に、可変発振器の発振信号の周波数を、予熱、始動又は点灯制御用の周波数に順次変更し、発振信号をスイッチング信号としてインバータに出力するので、動作全般において回路にストレスが加わるのを防止することができる。
【００１１】
請求項２記載の発明は、請求項１記載の放電ランプ点灯装置において、前記制御部は、前記第２の時間の間、前記可変発振器の発振信号の周波数を、前記放電ランプ用に予め決められた調光範囲の下限に対応する周波数に変更することを特徴とする。この構成によれば、２５０ｍｓの間、放電ランプが調光範囲の下限の光出力で動作するので、停電が２５０ｍｓ以内に復電したとき、放電ランプの光出力を停電前の光出力に素早く戻すことができる。
【００１２】
請求項３記載の発明は、請求項１記載の放電ランプ点灯装置において、前記制御部は、前記第２の時間の間、前記可変発振器の発振信号の周波数を、前記放電ランプ用に予め決められた調光範囲の下限に対応する周波数よりも高い前記始動制御用の周波数に変更することを特徴とする。この構成によれば、２５０ｍｓの間、放電ランプが始動制御用の周波数に対応するインバータの出力で動作するので、停電が２５０ｍｓ以内に復電したとき、可変発振器の発振信号の周波数を始動制御用の周波数に変更することなく、放電ランプの光出力を停電前の光出力に素早く戻すことができる。
【００１３】
請求項４記載の発明は、請求項２又は３記載の放電ランプ点灯装置において、前記制御部は、前記停電が２５０ｍｓ以内に復電したとき、前記可変発振器の発振信号の周波数を、該停電前の前記放電ランプの動作周波数に対応する周波数に変更することを特徴とする。この構成によれば、停電が２５０ｍｓ以内に復電したときに、放電ランプの光出力を停電前の光出力に戻すことができる。
【００１４】
請求項５記載の発明は、請求項２又は３記載の放電ランプ点灯装置において、前記制御部は、前記停電が２５０ｍｓ以内に復電したとき、該復電から３００ｍｓ以内の時間の間、前記可変発振器の発振信号の周波数を、前記始動制御用の周波数に変更し、前記３００ｍｓ以内の時間の終了時に、前記可変発振器の発振信号の周波数を、該停電前の前記放電ランプの動作周波数に対応する周波数に変更することを特徴とする。この構成によれば、トンネル用の放電ランプ点灯装置に要求される再点灯の要件をクリアすることができる。
【００１５】
請求項６記載の発明は、請求項４又は５記載の放電ランプ点灯装置において、前記制御部は、前記放電ランプの点灯を検出するための点灯検出手段を更に有し、前記制御部は、前記停電が２５０ｍｓ以内に復電したとき、前記可変発振器の発振信号の周波数を、前記始動制御用の周波数に変更し、前記復電後、前記点灯検出手段が前記放電ランプの点灯を検出したとき、前記可変発振器の発振信号の周波数を、該停電前の前記放電ランプの動作周波数に対応する周波数に変更することを特徴とする。この構成によれば、放電ランプが消灯しているときに点灯制御が実行されるのを防ぎ、インバータに大きな負荷がかかるのを防止することができる。
【００１６】
請求項７記載の発明は、請求項１記載の放電ランプ点灯装置において、前記制御部は、前記停電が２５０ｍｓ以内に復電するなら、少なくとも該停電の間、前記可変発振器の発振を停止するか前記スイッチング信号の出力を停止し、該停電が２５０ｍｓ以内に復電した後の３００ｍｓ以内に、前記可変発振器の発振信号の周波数を、前記予熱、始動又は点灯制御用の周波数に順次変更することを特徴とする。この構成によれば、電力が消費されるのを好適に防止することができ、またトンネル用の放電ランプ点灯装置に要求される再点灯の要件をクリアすることができる。
【００１７】
請求項８記載の発明は、請求項２又は３記載の放電ランプ点灯装置において、前記制御部は、前記コンバータ及び前記インバータの少なくとも一方の誤動作を検出するための誤動作検出手段を更に有し、前記停電検出部が前記外部交流電源の停電を検出した後、前記誤動作検出手段が前記誤動作を検出したとき、前記第２の時間が経過するまで、前記可変発振器の周波数を、前記調光範囲の下限に対応する周波数よりも高い前記始動制御用の周波数、又は前記調光範囲の下限に対応する周波数に変更することを特徴とする。この構成でも、トンネル用の放電ランプ点灯装置に要求される再点灯の要件をクリアすることができる。
【００１８】
請求項９記載の発明は、請求項８記載の放電ランプ点灯装置において、前記制御部は、前記停電検出部が前記外部交流電源の停電を検出してから、前記誤動作検出手段が前記誤動作を検出するまで、前記可変発振器の周波数を、該停電前の前記放電ランプの動作周波数に対応する周波数に維持するか或いは前記調光範囲の下限に対応する周波数に変更することを特徴とする。この構成でも、トンネル用の放電ランプ点灯装置に要求される再点灯の要件をクリアすることができる。
【発明の効果】
【００１９】
本発明によれば、動作全般において回路にストレスが加わるのを防止するように、瞬時停電後の復電時の再始動モードと通常の始動又は再始動モードとを切り分けることができる。
【発明を実施するための最良の形態】
【００２０】
図１に、本発明による一実施形態の放電ランプ点灯装置１０のブロック図を示す。点灯装置１０は、例えば、補助電源（図示せず）を持つ外部交流電源１からの電力を用いて蛍光ランプ２を点灯するように、コンバータ１１、インバータ１２及び制御部１３で構成される。
【００２１】
コンバータ１１は、電源１の交流電力を直流電力に変換してインバータ１２に供給するように、例えば、整流回路１１１、チョッパ１１２及び平滑コンデンサ１１３で構成される。回路１１１は、例えばダイオード・ブリッジで構成され、電源１の交流電力を直流電力に全波整流する。チョッパ１１２は、例えば昇圧チョッパであり、回路１１１で整流された直流電力を所定電圧（例えば数百Ｖ）の直流電力に変換し、コンデンサ１１３で平滑してインバータ１２に供給する。コンデンサ１１３は、例えば、電源１の停電後、第１の時間（１〜２秒）よりも短い少なくとも第２の時間の間、ランプ２を予め決められた調光範囲の下限（ランプ２の点灯を維持できる程度の光出力）で点灯するための容量に設定される。第２の時間は、少なくとも２５０ｍｓを超える例えば３００〜４５０ｍｓの時間に設定される。なお、これに限らず、本発明の第２の時間は、第１の時間より長くてもよいが、コンデンサ１１３の容量に関係する規制のため、３００〜４５０ｍｓの時間が望ましい。
【００２２】
インバータ１２は、例えば上記従来技術装置と同様に、複数のスイッチング素子（ＦＥＴ）、インダクタ、キャパシタ及び予熱回路で構成され、制御部１３からのスイッチング信号に従って各スイッチング素子がスイッチング動作をし、これにより、コンバータ１１からの電圧ＶＤＣの直流電力を数十〜百数十ｋＨｚの交流電力に変換してランプ２に供給する。
【００２３】
制御部１３は、インバータ１２の各スイッチング素子のスイッチング動作を制御するように、インバータ制御部１３０、停電検出部１３１、カウンタ（計時部）１３２及び停電制御部１３３で構成される。
【００２４】
インバータ制御部１３０は、可変発振器としてのＶＣＯ（図示せず）と、種々の信号入力用の複数の端子とを含み、種々の信号に基づいてＶＣＯの発振信号の周波数を適宜変更し、該発振信号を上記スイッチング信号としてインバータ１２の各スイッチング素子に出力するように構成される。例えば、制御部１３０は、コンバータ１１の出力電圧ＶＤＣを検出する回路からの検出信号入力用の端子＃１と、ランプ電流を検出する回路からの検出信号入力用の端子＃２と、ランプ電圧を検出する回路からの検出信号入力用の端子＃３と、ランプ２に印加される電圧からＤＣ成分を検出する回路からの検出信号入力用の端子＃４と、発振停止信号及びリセット信号入力用の端子＃５と、調光制御（広義には発振周波数制御）信号入力用の端子＃６とを含む。なお、これに限らず、制御部１３０は、発振停止信号入力用の端子とリセット信号入力用の端子とを別々に備えてもよい。また、制御部１３０は、制御電源（図示しない）により、電源１の停電後、第２の時間よりも長い所定時間の間、動作することができる。
【００２５】
更に詳述すると、制御部１３０は、電源オン又はリセット（リセット信号の入力含む）後、上記第１の時間の間に、ＶＣＯの発振信号の周波数を、ランプ２の予熱、始動又は点灯制御用の周波数に順次変更し、該発振信号を上記スイッチング信号としてインバータ１２に出力する。この場合、インバータ１２に含まれる共振回路の共振特性が利用される。即ち、制御部１３０は、ＶＣＯの発振周波数を、予熱制御用の周波数（例えば、限定されないが約１１０ｋＨｚ）、始動制御用の周波数（例えば約１００ｋＨｚ）又は点灯制御用の周波数（例えば約４５ｋＨｚ）に順次変更する。
【００２６】
また、制御部１３０は、端子＃５に入力された発振停止信号に従ってＶＣＯの発振を停止する。なお、制御部１３０は、発振停止信号に従ってスイッチング信号の出力を停止してもよい。更に、制御部１３０は、端子＃６に入力された調光制御信号に応じて、ＶＣＯの発振周波数を変更する。
【００２７】
停電検出部１３１は、電源１の停電を検出するように構成される。本実施形態では、検出部１３１は、停電を検出したとき、電源１が停電している間、停電検出信号をカウンタ１３２及び停電制御部１３３に出力する一方、該停電の復電を検出したとき、電源１の正常（復電）を示す正常検出信号をカウンタ１３２及び停電制御部１３３に出力する。ここで、復電は、商用電源の復電に加えて、商用電源の停電中の補助電源による復電も含む。なお、検出部１３１は、例えば上記従来技術装置と同様に構成可能であるが、検出部１３１は、電源１の正常又は復電時にその出力をＨｉｇｈ又はＬｏｗに設定し、停電時に出力をＬｏｗ又はＨｉｇｈに設定してもよい。
【００２８】
カウンタ１３２は、検出部１３１から停電検出信号を受信した後の経過時間を計時するように構成される。本実施形態では、カウンタ１３２は、経過時間が２５０ｍｓに達した時点で、待機解除信号を制御部１３３に出力する。また、カウンタ１３２は、経過時間が上記第２の時間に達した時点で、スリープ信号を制御部１３３に出力する。更に、カウンタ１３２は、検出部１３１から正常検出信号を受信した時点で、経過時間をゼロにリセットする。
【００２９】
停電制御部１３３は、瞬時停電後の復電時の再始動モードと通常の始動又は再始動モードとを切り分けるように構成される。即ち、制御部１３３は、検出部１３１が電源１の停電を検出した後、停電が２５０ｍｓ以内に復電するなら、少なくとも該停電の間、ランプ２の消費電力が少なくとも点灯時のそれよりも低下するように、ＶＣＯの発振信号の周波数を変更する。具体的には、制御部１３３は、検出部１３１から停電検出信号を受けたとき、調光範囲の下限に相当する調光制御信号を、制御部１３０の端子＃６に出力する。これにより、制御部１３０は、ＶＣＯの発振周波数を、調光範囲の下限に対応する周波数に変更する。続いて、制御部１３３は、カウンタ１３２から待機解除信号を受ける前に検出部１３１から正常検出信号を受けたとき、停電前のランプ２の動作周波数（例えば定格光出力（全点灯））に対応する調光制御信号を、制御部１３０の端子＃６に出力する。本実施形態では、制御部１３３は、スリープ信号を受ける前に検出部１３１から正常検出信号を受けたときも、停電前のランプ２の動作周波数に対応する調光制御信号を出力する。一方、制御部１３３は、カウンタ１３２から待機解除信号に続いてスリープ信号を受けたとき、発振停止信号を制御部１３０の端子＃５に出力し、続いて該停電の復電時に、発振停止信号の出力を解除して、リセット信号を制御部１３０の端子＃５に出力する。
【００３０】
次に本実施形態の動作について説明する。先ず、電源１の補助電源が商用電源の停電後２５０ｍｓ以内に正常に動作するときの点灯装置１０の動作について説明する。
【００３１】
図２に示すように、点灯装置１０が全点灯レベルでランプ２を動作している状態で、電源１がｔ１で停電すると、検出部１３１が停電検出信号をカウンタ１３２及び停電制御部１３３に出力する。この時点で、カウンタ１３２は、経過時間を計時する一方、制御部１３３は、調光範囲の下限に相当する調光制御信号を制御部１３０の端子＃６に出力する。これにより、制御部１３０が、ＶＣＯの発振周波数を、調光範囲の下限に対応する周波数に変更するので、ランプ２は、調光範囲の下限の光出力で動作する。
【００３２】
この後、制御部１３３は、カウンタ１３２から待機解除信号を受ける前に、ｔ２で検出部１３１から正常検出信号を受けたとき、停電前のランプ２の動作周波数に対応する調光制御信号を、制御部１３０の端子＃６に出力する。これにより、制御部１３０が、ＶＣＯの発振周波数を、全点灯に対応する周波数に変更するので、ランプ２は、全点灯の光出力で動作する。この場合、調光範囲の下限からその上限（全点灯）に変わるだけなので、ランプ２は、図２に示すように、ほぼ復電時点で、全点灯レベルで動作することができる。
【００３３】
次に、停電時間が少なくとも２５０ｍｓよりも長く、電源１の補助電源が停電時に正常に動作しないときの点灯装置１０の動作について説明する。点灯装置１０が全点灯レベルでランプ２を動作している状態で、電源１が停電すると、検出部１３１が停電検出信号をカウンタ１３２及び停電制御部１３３に出力する。この時点で、カウンタ１３２は、経過時間を計時する一方、制御部１３３は、調光範囲の下限に相当する調光制御信号を制御部１３０の端子＃６に出力する。これにより、ランプ２は調光範囲の下限の光出力で動作する。
【００３４】
この調光後、制御部１３３は、カウンタ１３２からスリープ信号を受ける前に検出部１３１から正常検出信号を受けたとき、停電前のランプ２の動作周波数に対応する調光制御信号を、制御部１３０の端子＃６に出力する。これにより、ランプ２は全点灯レベルで動作する。
【００３５】
他方、制御部１３３は、カウンタ１３２からスリープ信号を受けたとき、発振停止信号を制御部１３０の端子＃５に出力する。これにより、制御部１３０がＶＣＯの発振を停止するので、ランプ２は動作を停止して消灯する。この後、該停電の復電時に、制御部１３３は、発振停止信号の出力を解除して、リセット信号を制御部１３０の端子＃５に出力する。これにより、制御部１３０が、第１の時間の間に、ＶＣＯの発振信号の周波数を、予熱、始動又は点灯制御用の周波数に順次変更し、該発振信号をスイッチング信号としてインバータ１２に出力するので、ランプ２は、通常始動モードで動作して点灯する。
【００３６】
一変形実施形態において、図３に示すように、制御部１３３は、検出部１３１から停電検出信号を受けたとき、調光範囲の下限に対応する周波数（例えば、限定されないが共振周波数よりも高い約９０ｋＨｚ）よりも高い始動制御用の周波数に対応する調光制御（発振周波数制御）信号を制御部１３０の端子＃６に出力する。これにより、ランプ２は、調光範囲の下限に対応する出力よりも低いインバータ１２の出力で動作する。従って、ランプ２は通常消灯することになる。続いて、制御部１３３は、カウンタ１３２からスリープ信号（図３では待機解除信号）を受ける前に検出部１３１から正常検出信号を受けた後、例えば２００ｍｓ以下の時間（ｔ２〜ｔ４）の間、ＶＣＯの発振周波数を始動制御用の周波数に維持する。これにより、ランプ２が消灯していても、ランプ２は該時間の間（ｔ３）に点灯可能である。続いて、制御部１３３は、該時間の終了時（復電時から３００ｍｓ以内）に、ＶＣＯの発振周波数を点灯制御用の周波数（１００％の光出力に対応する周波数）に設定する。これにより、ランプ２は、１００％の光出力で動作する（ｔ４）。数１００ｍｓ程度の瞬時的な停電後に、２００ｍｓ程度の時間の間、始動制御を行っても、ランプ２の寿命に悪影響を及ぼすことはない。
【００３７】
図３の始動制御から点灯制御への移行の変形例において、制御部１３０は、端子＃２及び＃４の少なくとも一方に入力された検出信号に基づいて、ランプ２の点灯を検出するための点灯検出手段を有する。図４に示すように、制御部１３３は、カウンタ１３２からスリープ信号（図４では待機解除信号）を受ける前に検出部１３１から正常検出信号を受けたとき（ｔ２）、ＶＣＯの発振周波数を始動制御用の周波数に設定（維持）する。なお、これに限らず、制御部１３０が、正常検出信号を受け、ＶＣＯの発振周波数を始動制御用の周波数に設定してもよい。復電後、制御部１３０は、点灯検出手段がランプ２の点灯を検出したとき（ｔ３）、ＶＣＯの発振周波数を、該停電前のランプ２の動作周波数に対応する周波数に変更して、点灯制御に移行する。この場合、より早く停電前の光出力でランプ２を動作させることができる。また、ランプ２が消灯しているときに点灯制御が実行されるのを防ぎ、インバータ１２に大きな負荷がかかるのを防止することができる。
【００３８】
別の変形実施形態において、図５に示すように、制御部１３３は、検出部１３１から停電検出信号を受けたとき（ｔ１）、発振停止信号を制御部１３０の端子＃５に出力する。これによりランプ２は消灯する。この後、制御部１３３は、カウンタ１３２からスリープ信号（図５では待機解除信号）を受ける前に検出部１３１から正常検出信号を受けた後、３００ｍｓ以内に、ＶＣＯの発振周波数を、予熱、始動又は点灯制御用の周波数に順次変更する。例えば、制御部１３３は、ｔ２から第１の時間（例えば、約１秒の予熱制御時間及び約１００ｍｓの始動制御時間）の約１／１０の間で、ＶＣＯの発振周波数を、予熱、始動又は点灯制御用の周波数に順次変更する。
【００３９】
他の変形実施形態において、制御部１３０は、端子＃１〜＃４の少なくとも１つに入力された検出信号に基づいて、コンバータ１１及びインバータ１２の少なくとも一方の誤動作を検出するための誤動作検出手段と、端子＃２及び＃４の少なくとも一方に入力された検出信号に基づいて、ランプ２の点灯を検出するための点灯検出手段とを有する。誤動作検出手段において、例えば、端子＃１に入力された電圧ＶＤＣが所定電圧以下になったとき、該誤動作が検出される。端子＃３に入力されたランプ電圧が所定電圧以上になったとき、該誤動作が検出される。端子＃４に入力されたランプ電圧のＤＣ成分が所定レベル以上になったとき、該誤動作が検出される。平滑コンデンサ１１３は、電源１の停電後の約２５０ｍｓの間（ｔ１〜ｔ２）、ランプ２を調光範囲の下限で点灯するための容量よりも少ない容量を持つ。
【００４０】
この構成において、検出部１３１が電源１の停電を検出したとき（ｔ１）、制御部１３０は、検出部１３１から又は制御部１３３を介して停電検出信号を受ける。この後、図６に示すように、制御部１３０は、誤動作検出手段が端子＃１に入力された電圧ＶＤＣから誤動作を検出したとき、第２の時間が経過するまで、ＶＣＯの発振周波数を、上記始動制御用の周波数に対応する周波数（又は調光範囲の下限に対応する周波数）に変更する。なお、これに限らず、制御部１３０は、ＶＣＯの発振を停止してもよく、或いはスイッチング信号の出力を停止してもよい。この後、制御部１３０は、点灯検出手段がランプ２の点灯を検出したとき（ｔ３）、ＶＣＯの発振周波数を、該停電前のランプ２の動作周波数に対応する周波数に変更する。なお、制御部１３３が、正常検出信号を受け、ＶＣＯの発振周波数を始動制御用の周波数に設定（維持）してもよい。
【図面の簡単な説明】
【００４１】
【図１】本発明による一実施形態の放電ランプ点灯装置のブロック図である。
【図２】図１の点灯装置の動作説明図である。
【図３】一変形実施形態の動作説明図である。
【図４】図３の始動制御から点灯制御への移行の変形例の動作説明図である。
【図５】別の変形実施形態の動作説明図である。
【図６】他の変形実施形態の動作説明図である。
【符号の説明】
【００４２】
１  外部交流電源
２  蛍光ランプ
１０  放電ランプ点灯装置
１１  コンバータ
１１１  整流回路
１１２  チョッパ
１１３  平滑コンデンサ
１２  インバータ
１３  制御部
１３０  インバータ制御部
１３１  停電検出部
１３２  カウンタ
１３３  停電制御部
【図１】
2007294267.tif 000003
【図２】
2007294267.tif 000004
【図３】
2007294267.tif 000005
【図４】
2007294267.tif 000006
【図５】
2007294267.tif 000007
【図６】
2007294267.tif 000008